(57)【特許請求の範囲】
【請求項１】
複数の太陽電池モジュールを直列接続してなる太陽電池ストリングを備えた太陽光発電装置であって、
前記各太陽電池モジュール、若しくは、前記各太陽電池モジュールを構成する複数の太陽電池クラスタ、に対しそれぞれ並列接続され、前記太陽電池モジュール若しくは前記太陽電池クラスタからの発電電力が低下したときにバイパス経路を形成する複数のバイパスダイオードと、
前記各バイパスダイオードの通電状態を検出して報知する報知手段と、
を備え、
前記報知手段は、前記バイパスダイオードに並列に接続され、前記バイパスダイオードが通電状態であるとき、前記バイパスダイオードと同方向に電流を流す検出用ダイオードを備え、該検出用ダイオードへの通電電流により前記バイパスダイオードの通電状態を報知することを特徴とする太陽光発電装置。
【請求項２】
前記報知手段は、前記検出用ダイオードへの通電電流により点灯する発光素子を備えたことを特徴とする請求項１に記載の太陽光発電装置。
【請求項３】
前記報知手段は、前記検出用ダイオードへの通電電流により前記バイパスダイオードが通電状態である旨を表す検知信号を送信する信号発生器、を備えたことを特徴とする請求項１又は請求項２に記載の太陽光発電装置。
【請求項４】
前記複数のバイパスダイオードがそれぞれ並列接続される太陽電池モジュール若しくは太陽電池クラスタには、それぞれ、前記太陽電池ストリングの発電電力出力経路との接続を遮断して、前記バイパスダイオードにより前記バイパス経路を形成させるスイッチが設けられていることを特徴とする請求項１〜請求項３の何れか１項に記載の太陽光発電装置。
【発明の詳細な説明】
【技術分野】
【０００１】
本発明は、太陽電池モジュール若しくは太陽電池モジュールを構成する太陽電池クラスタにバイパスダイオードが接続された太陽光発電装置に関する。
【背景技術】
【０００２】
一般に、太陽光発電装置は、太陽電池アレイとパワーコンディショナとから構成されており、パワーコンディショナは、太陽電池アレイからの発電電力を電力変換（例えばＤＣ／ＡＣ変換）して商用系統などの電力系統へ出力する。
【０００３】
また、太陽電池アレイは、複数の太陽電池モジュールを直列接続した太陽電池ストリングを複数備え、その複数の太陽電池ストリングを並列接続することにより、所望電力を発電できるようにされている。
【０００４】
また、太陽電池モジュールは、多数の太陽電池セルを直列に接続することにより構成されており、その多数の太陽電池セルを太陽電池クラスタとして複数に分割したものも知られている。
【０００５】
そして、太陽電池モジュールには、太陽電池モジュール全体若しくは複数の太陽電池クラスタの一部が、故障或いは日陰によって所望の発電電力を出力できなくなった際に、その太陽電池モジュール若しくは太陽電池クラスタをバイパスする経路を形成する、バイパスダイオードが設けられる（例えば、特許文献１参照）。
【０００６】
つまり、バイパスダイオードは、複数の太陽電池モジュール若しくは複数の太陽電池クラスタに対しそれぞれ並列接続されており、その並列接続された太陽電池モジュール若しくは太陽電池クラスタからの発電出力が低下すると、太陽電池ストリングを構成する他の太陽電池モジュール若しくは他の太陽電池クラスタから印加される電圧にて順方向に電流を流すことで、太陽電池ストリングからの発電電力の出力を継続させる。
【先行技術文献】
【特許文献】
【０００７】
【特許文献１】特開２００７−８８１９５号公報（図２、段落００２９等参照）
【発明の概要】
【発明が解決しようとする課題】
【０００８】
上記従来の太陽光発電装置によれば、太陽電池モジュール若しくは太陽電池クラスタの一つが故障し、発電することができなくなった際に、太陽電池ストリングからの発電電力の出力を継続させることはできるものの、太陽電池モジュール若しくは太陽電池クラスタの故障を検知して、その故障した太陽電池モジュール若しくは太陽電池クラスタを特定するには、時間がかかるという問題があった。
【０００９】
つまり、太陽電池モジュール若しくは太陽電池モジュールを構成する太陽電池クラスタの一つが故障し、バイパスダイオードによりバイパス経路が形成された場合、太陽電池ストリングからの発電電力が低下する。
【００１０】
このため、従来の太陽光発電装置によれば、太陽電池ストリングに何らかの異常が発生したことについては、例えば、パワーコンディショナ側で、太陽電池ストリングからの出力電圧及び電流を監視することにより、検知することができる。
【００１１】
しかし、その異常箇所を特定するには、太陽電池モジュール毎或いは太陽電池クラスタ毎に、出力電圧や電流を測定する必要がある。
このため、上記従来の太陽光発電装置において、太陽電池ストリングを構成する太陽電池モジュール若しくは太陽電池モジュールを構成する太陽電池クラスタに異常が生じた際に、その異常箇所を特定するのに時間がかかるのである。
【００１２】
本発明は、こうした問題に鑑みなされたものであり、太陽電池モジュール若しくは太陽電池クラスタにバイパスダイオードが接続された太陽光発電装置において、使用者が、太陽電池モジュール若しくは太陽電池クラスタの異常を検知して、その異常箇所を簡単に特定できるようにすることを目的とする。
【課題を解決するための手段】
【００１３】
かかる目的を達成するためになされた請求項１に記載の太陽光発電装置によれば、太陽電池ストリングを構成する複数の太陽電池モジュール毎、或いは、各太陽電池モジュールを構成する複数の太陽電池クラスタ毎に、太陽電池モジュール若しくは太陽電池クラスタからの発電電力が低下したときにバイパス経路を形成するバイパスダイオードが設けられている。
【００１４】
そして、各バイパスダイオードには、その通電状態を検出して報知する報知手段が設けられている。
従って、本発明の太陽光発電装置によれば、使用者は、報知手段からの報知出力によって、故障若しくは日陰によって発電できなくなった太陽電池モジュール若しくは太陽電池クラスタを検知することができ、そのときの日時や天候などから、故障した太陽電池モジュール若しくは太陽電池クラスタを簡単に特定することができる。
【００１７】
また、報知手段は、バイパスダイオードに並列に接続され、バイパスダイオードが通電状態であるとき、バイパスダイオードと同方向に電流を流す検出用ダイオードを備え、この検出用ダイオードに流れる電流により、バイパスダイオードの通電状態を報知する。
【００１９】
このため、報知手段は、バイパスダイオードを備えた太陽電池モジュール（若しくは太陽電池クラスタ）とは別体で構成できる。
従って、本発明の太陽光発電装置によれば、報知手段を、太陽電池モジュール（若しくは太陽電池クラスタ）に対し外付け可能なモジュールとして構成し、そのモジュールを、報知手段を備えていない従来の太陽光発電装置に組み込むことで、従来の太陽光発電装置にも、本発明を簡単に適用することができるようになる。
【００２０】
ここで、報知手段は、請求項２に記載のように、検出用ダイオードへの通電電流により点灯するＬＥＤ等の発光素子を備え、その発光素子の点灯により、バイパスダイオードの通電状態を報知するように構成してもよい。
報知手段をこのように構成すれば、使用者は、太陽電池モジュール若しくは太陽電池クラスタが正常に発電できていないことを視覚的に検知できるようになり、異常状態をより速やかに検知することが可能となる。
また、報知手段は、請求項３に記載のように、発光素子に代えて（或いは、発光素子とは別に）信号発生器を備え、バイパスダイオードが通電状態であるとき（換言すればバイパス経路の形成時）に、その旨を表す検知信号を送信するように構成してもよい。
【００２１】
そして、この場合、使用者は、受信装置による検知信号の受信状態を監視することで、太陽電池モジュールから離れた位置で、バイパスダイオードの通電状態を検知し、故障した太陽電池モジュール（若しくは太陽電池クラスタ）を特定できるようになる。
【００２２】
またこの場合、受信装置側では、検知信号の受信状態を記憶媒体に順次記憶するように構成すれば、使用者は、太陽光発電装置の発電機能が停止される夜間であっても、その記憶媒体に記憶されたデータに基づき、故障した太陽電池モジュール（若しくは太陽電池クラスタ）を特定することができるようになる。
なお、検知信号は、バイパスダイオードの位置を表す情報と共に受信装置に送信するようにしてもよい。
【００２３】
一方、本発明（請求項１〜請求項３）の太陽光発電装置においては、請求項４に記載のように、バイパスダイオードがそれぞれ並列接続される太陽電池モジュール若しくは太陽電池クラスタに対し、それぞれ、太陽電池ストリングの発電電力出力経路との接続を遮断して、バイパスダイオードによりバイパス経路を形成させるスイッチを設けるようにしてもよい。
【００２４】
そして、このようにすれば、太陽電池モジュール毎若しくは太陽電池クラスタ毎に設けられた複数のスイッチの一部を選択的にオフさせることで、そのスイッチに対応する太陽電池モジュール若しくは太陽電池クラスタを、太陽電池ストリングの発電電力出力経路から外し、バイパスダイオードを強制的に通電状態にすることができる。
【００２５】
このようにバイパスダイオードを通電状態にすれば、そのバイパスダイオードに対応する報知手段から、その旨が通知されることになるが、バイパスダイオード若しくは報知手段に異常があると、報知手段から、スイッチ操作により通電状態に切り換えたバイパスダイオードの通電状態が報知されない。
【００２６】
従って、使用者は、上記スイッチを選択的にオフさせることで、バイパスダイオード及び報知手段が正常に動作するか否かを確認することができるようになる。
【図面の簡単な説明】
【００２７】
【図１】第１実施形態の太陽電池モジュールの回路構成を表す構成図である。
【図２】第１実施形態のジャンクションボックスの外観を表す説明図である。
【図３】図１の太陽電池モジュールの一部が故障した際の電流経路を表す説明図である。
【図４】第２実施形態の太陽電池モジュールの回路構成を表す構成図である。
【図５】第２実施形態のジャンクションボックスの外観を表す説明図である。
【図６】図２のジャンクションボックスに設けられた操作ボタンの操作によってオン・オフされるスイッチの状態及び電流経路を表す説明図である。
【図７】第３実施形態の太陽光発電装置の回路構成を表す構成図である。
【図８】第３実施形態のジャンクションボックス及び状態検出装置の外観を表す説明図である。
【図９】変形例の太陽光発電装置の回路構成を表す構成図である。
【発明を実施するための形態】
【００２８】
以下に本発明の実施形態を図面と共に説明する。
［第１実施形態］
第１実施形態の太陽光発電装置は、図１に示す太陽電池モジュール（以下、単にＰＶモジュールともいう）２を、複数個直列接続することにより構成される太陽電池ストリングを備える。
【００２９】
そして、その複数のＰＶモジュール２は、それぞれ、所定個数の太陽電池セル（以下、単に電池セルともいう）４を直列接続してなる複数（図では３つ）の太陽電池クラスタ（以下、単にクラスタともいう）１１、１２、１３からなり、これら複数のクラスタ１１〜１３を直列接続することにより構成されている。
【００３０】
また、ＰＶモジュール２において、各クラスタ１１〜１３には、それぞれ、バイパスダイオード２１〜２３が並列接続されている。
バイパスダイオード２１〜２３は、それぞれ、並列接続されたクラスタ１１〜１３からの発電電力が低下し、隣接する他のクラスタ若しくは他のＰＶモジュール２からの印加電圧が所定の順方向電圧に達した際に、順方向に電流を流すことで、並列接続されたクラスタ１１〜１３に対するバイパス経路を形成するものである。
【００３１】
このため、クラスタ１１〜１３の故障時、或いはクラスタ１１〜１３が日陰に入り、クラスタ１１〜１３による発電電力が低下したときには、バイパスダイオード２１〜２３にて形成されるバイパス経路を介して、隣接する他のクラスタ１１〜１３或いは他のＰＶモジュール２を接続し、これら各部からの発電電力を合成して、太陽電池ストリングからパワーコンディショナ（図示せず）へと出力させることができる。
【００３２】
また、本実施形態では、各バイパスダイオード２１〜２３には、それぞれ、バイパスダイオード２１〜２３に流れる電流を、それぞれ、抵抗Ｒ１１とＲ１２、抵抗Ｒ２１とＲ２２、若しくは抵抗Ｒ３１とＲ３２にて分流し、その分流抵抗の一方（抵抗Ｒ１２、Ｒ２２、Ｒ３２）に直列接続された発光ダイオード（以下、単にＬＥＤという）３１、３２、３３を点灯させる回路が、直列に接続されている。
【００３３】
この回路は、バイパスダイオード２１〜２３によりバイパス経路が形成されて、バイパスダイオード２１〜２３が通電状態となったときに、対応するＬＥＤ３１〜３３を点灯させることで、バイパスダイオード２１〜２３によりバイパス経路が形成されていること（換言すれば、バイパスダイオード２１〜２３に対応したクラスタ１１〜１３からの発電電力が低下していること）を報知するためのものであり、本発明（特に請求項２に記載の報知手段に相当する。
【００３４】
そして、この報知手段としての回路（詳しくは、抵抗Ｒ１１，Ｒ１２及びＬＥＤ３１、抵抗Ｒ２１，Ｒ２２及びＬＥＤ３２、抵抗Ｒ３１，Ｒ３２及びＬＥＤ３３）は、それぞれ、バイパスダイオード２１、２２、２３と共に、ＰＶモジュール２の裏面（太陽光の受光面とは反対側の面）に設けられるジャンクションボックス６内に収納されている。
【００３５】
また、このジャンクションボックス６には、上記各クラスタ１１〜１３に対応するＬＥＤ３１〜３３の点灯状態を外から確認できるように、各ＬＥＤ３１〜３３が、その発光部分が外部に露出するように固定されている（図２参照）。
【００３６】
このように構成された本実施形態の太陽光発電装置によれば、例えば、図３に示すように、クラスタ１１が正常に発電できなくなって、対応するバイパスダイオード２１が通電状態になると、そのバイパスダイオード２１に対し設けられたＬＥＤ３１が点灯する。
【００３７】
従って、使用者は、そのＬＥＤ３１の点灯により、正常に発電できなくなったクラスタ１１を速やかに検知することができ、そのときの日時や天候などから、そのクラスタ１１の動作不良が日陰によるものか、クラスタ１１自身の故障によるものかを判定することで、故障したクラスタ１１を簡単に特定することができるようになる。
［第２実施形態］
次に、図４は、第２実施形態のＰＶモジュール２の回路構成を表している。
【００３８】
本実施形態のＰＶモジュール２は、基本的には、第１実施形態のものと同様に構成されており、第１実施形態と異なる点は、下記の２点である。
（１）ＰＶモジュール２内に設けられた抵抗Ｒ１１，Ｒ１２及びＬＥＤ３１、抵抗Ｒ２１，Ｒ２２及びＬＥＤ３２、抵抗Ｒ３１，Ｒ３２及びＬＥＤ３３と、各クラスタ１１、１２、１３との接続部分である４箇所に、その接続経路を接続、遮断するためのスイッチＳＷ１、ＳＷ２、ＳＷ３、ＳＷ４を設けた点。
（２）ジャンクションボックス６に設けられた３つの操作ボタン４１〜４３（図５参照）の押下状態に応じて、これら４つのスイッチＳＷ１〜ＳＷ４のオン・オフ状態を３段階に切り換える切換回路４０を設けた点。
【００３９】
この切換回路４０は、操作ボタン４１〜４３が操作（押下）されない通常時には、全てのスイッチＳＷ１〜ＳＷ４をオン状態に設定することで、第１実施形態と同様に、クラスタ１１〜１３からの発電電力の低下によって生じるバイパスダイオード２１の通電状態を、ＬＥＤ３１〜３３の点灯状態から確認できるようにする。
【００４０】
また、切換回路４０は、操作ボタン４１〜４３の何れかが押下されると、図６（ａ）〜（ｃ）に示すように、押下された操作ボタン４１〜４３に対応したオン・オフパターンで各スイッチＳＷ１〜ＳＷ４のオン・オフ状態を設定することで、予め設定されたバイパスダイオード２１〜２３を通電状態にする。
【００４１】
つまり、図６（ａ）に例示するように、操作ボタン４１が押下された際には、切換回路４０は、スイッチＳＷ１をオフ状態、スイッチＳＷ２、ＳＷ３、ＳＷ４をオン状態にすることで、クラスタ１１を、ＰＶモジュール２内の発電電力出力経路から切り離して、バイパスダイオード２１を強制的に通電状態とし、そのとき、ＬＥＤ３１が点灯したか否かによって、バイパスダイオード２１によるバイパス経路が正常か否かを判断できるようにする。
【００４２】
また、図６（ｂ）に例示するように、操作ボタン４２が押下された際には、切換回路４０は、スイッチＳＷ１、ＳＷ２、ＳＷ３をオン状態、スイッチＳＷ４をオフ状態にすることで、クラスタ１３を、ＰＶモジュール２内の発電電力出力経路から切り離して、バイパスダイオード２３を強制的に通電状態とし、そのとき、ＬＥＤ３３が点灯したか否かによって、バイパスダイオード２３によるバイパス経路が正常か否かを判断できるようにする。
【００４３】
また、図６（ｃ）に例示するように、操作ボタン４３が押下された際には、切換回路４０は、全てのスイッチＳＷ１〜ＳＷ４をオフ状態にすることで、クラスタ１１〜１３を、ＰＶモジュール２内の発電電力出力経路から切り離して、バイパスダイオード２３を強制的に通電状態とし、そのとき、全てのＬＥＤ３１〜３３が点灯したか否かによって、バイパスダイオード２１〜２３により形成されるバイパス経路が正常か否かを判断できるようにする。
【００４４】
従って、本実施形態のＰＶモジュール２によれば、使用者は、ジャンクションボックス６に設けられた操作ボタン４１〜４２を順に押下して、ＬＥＤ３１〜３３の点灯状態を確認することで、バイパスダイオード２１により形成されるバイパス経路、バイパスダイオード２３により形成されるバイパス経路、バイパスダイオード２２により形成されるバイパス経路が正常か否かを順に点検することができるようになる。
［第３実施形態］
次に、図７は、第３実施形態の太陽光発電装置の構成を表している。
【００４５】
図７に示すように、本実施形態の太陽光発電装置は、多数の太陽電池セルを直列接続してなる発電部５２と、この発電部５２に並列接続されたバイパスダイオード５４とからなる太陽電池モジュール（ＰＶモジュール）６０を、複数個（図では３個）備え、これら各ＰＶモジュール６０を直列接続して、その両端をパワーコンディショナ（以下、単にＰＣＳともいう）に接続することにより構成されている。
【００４６】
そして、各ＰＶモジュール６０には、それぞれ、各ＰＶモジュール６０内の発電部５２からの発電電力が低下してバイパスダイオード５４に順方向に電流が流れ、バイパス経路が形成されたことを検出するための検出装置７０が、並列接続されている。
【００４７】
この検出装置７０は、バイパスダイオード５４に順方向電流が流れた際にＰＶモジュール６０の両端に生じる電圧により、その順方向電流と同方向に電流を流す検出用ダイオード７２と、この検出用ダイオード７２に流れる電流を分流する抵抗７４及び７６と、その分流抵抗の一方（抵抗７６）に直列接続された発光ダイオード（ＬＥＤ）７８とから構成されている。
【００４８】
また、検出装置７０は、ＰＶモジュール６０とは別体で構成されており、図８に示すように、ＰＶモジュール６０の裏面で、バイパスダイオード５４が収納されたジャンクションボックス６６から引き出され、複数のＰＶモジュール６０にて構成される太陽電池ストリングの発電電力出力経路を形成する電力線に装着されている。
【００４９】
このように構成された本実施形態の太陽光発電装置によれば、ＰＶモジュール６０に外付けされた検出装置７０を用いて、ＰＶモジュール６０内のバイパスダイオード５４が通電状態となったことを検出し、検出装置７０内のＬＥＤ７８を点灯させることで、その旨を報知することができる。
【００５０】
また、検出装置７０は、ＰＶモジュール６０と別体で構成され、ＰＶモジュール６０に対し外付けすることができることから、検出装置７０を備えていない従来の太陽光発電装置にも装着することができ、本発明の適用範囲を広げることができる。
【００５１】
なお、本実施形態では、検出装置７０が、本発明（特に請求項３）の報知手段に相当する。
以上、本発明の実施形態について説明したが、本発明は上記実施形態に限定されるものではなく、本発明の要旨を逸脱しない範囲内にて種々の態様をとることができる。
［変形例］
例えば、上記実施形態では、報知手段は、ＰＶモジュール２（又は６０）に設けられたバイパスダイオード２１〜２３（又は５４）が通電状態であるとき、ＬＥＤ３１〜３３（又は７８）を点灯させることで、その旨を報知するものとして説明したが、ＬＥＤ３１〜３３（又は７８）に代えて（或いはＬＥＤ３１〜３３（又は７８）とは別に）、信号発生手段を設け、バイパスダイオード２１〜２３（又は５４）が通電状態になると、信号発生器から、その旨を表す検知信号を送信するようにしてもよい。
【００５２】
つまり、例えば、図９に示すように、図７に示す検出装置７０内に、バイパスダイオード５４に直列接続された信号発生器８０を設け、バイパスダイオード５４に流れる電流によって信号発生器８０を動作させることで、信号発生器８０が、太陽光発電装置の周囲に設けられた受信機９０に向けて、通電状態にあるバイパスダイオード５４を特定するための識別情報を、異常検知信号として無線送信するように構成する。
【００５３】
そして、このように構成すれば、受信機９０が受信した異常検知信号を、太陽光発電装置の動作状態を監視する監視装置９２に出力することで、監視装置９２側で、バイパスダイオード５４が通電状態となったＰＶモジュール６０（若しくはＰＶモジュール６０内の太陽電池クラスタ）を検知して、そのＰＶモジュール６０（若しくは太陽電池クラスタ）が故障したか否かを判断することができるようになる。
【００５４】
なお、図９において、監視装置９２は、ＣＰＵ、ＲＯＭ、ＲＡＭ等を中心とするマイクロコンピュータにて構成されている。
そして、この監視装置９２では、マイクロコンピュータが実行するバイパスダイオードの監視処理により、検出装置７０内の信号発生器８０から送信された異常検知信号を、受信機９０を介して取得すると、その異常検知信号に含まれる識別情報から、通電状態となったバイパスダイオード５４が設けられたＰＶモジュール６０（若しくは太陽電池クラスタ）を特定して、異常検出時刻と共に所定の記憶媒体（メモり、ハードディスク等）に記憶する。
【００５５】
また、記憶媒体に記憶したＰＶモジュール６０（若しくは太陽電池クラスタ）が実際に故障しているか否かを判断する際には、記憶媒体に記憶された過去の履歴から、例えば、下記の点ａ）〜ｅ）を判断し、その判断結果から、故障の可能性を判断するようにすればよい。
【００５６】
ａ）いつも同じ時間帯にバイパスダイオード５４が通電状態になる場合は、故障ではない。
ｂ）いつもと異なる時間帯にバイパスダイオード５４が通電状態になった場合は、故障の可能性あり。
【００５７】
ｃ）バイパスダイオード５４の通電状態が短時間である場合には、故障の可能性は低い。
ｄ）バイパスダイオード５４の通電状態が長時間続く場合には、故障の可能性が高い。
【００５８】
ｅ）隣接するＰＶモジュール６０（若しくは太陽電池クラスタ）内のバイパスダイオード５４は、通電状態ではない場合、故障の可能性が高い。
なお、この判断は、監視装置９２内のマイクロコンピュータの処理によって自動で行うようにしてもよく、使用者自身が判断するようにしてもよい。
【００５９】
また、図９では、信号発生器８０は、異常検知信号を受信機９０に無線送信するものとして説明したが、太陽電池ストリングの発電電力出力経路を利用して監視装置に異常検知信号を伝送するようにしてもよい。
【００６０】
また次に、図７及び図９に示した検出用ダイオード７２を含む報知用の回路は、ＰＶモジュール２とは別体の検出装置７０として構成するものとして説明したが、検出装置７０内の報知用の回路は、ＰＶモジュール２内に設けるようにしてもよい。
【符号の説明】
【００６１】
２…ＰＶモジュール、４…電池セル、６…ジャンクションボックス、１１〜１３…クラスタ、２１〜２３…バイパスダイオード、３１〜３３…ＬＥＤ、Ｒ１１，Ｒ１２，Ｒ２１，Ｒ２２，Ｒ３１、Ｒ３２…抵抗、ＳＷ１〜ＳＷ４…スイッチ、４０…切換回路、４１〜４３…操作ボタン、５２…発電部、５４…バイパスダイオード、６０…ＰＶモジュール、６６…ジャンクションボックス、７０…検出装置、７２…検出用ダイオード、７４，７６…抵抗、７８…ＬＥＤ、８０…信号発生器、９０…受信機、９２…監視装置。
【図１】
0005801699.tif 000002
【図２】
0005801699.tif 000003
【図３】
0005801699.tif 000004
【図４】
0005801699.tif 000005
【図５】
0005801699.tif 000006
【図６】
0005801699.tif 000007
【図７】
0005801699.tif 000008
【図８】
0005801699.tif 000009
【図９】
0005801699.tif 000010